(57)【要約】【課題】  表示意匠の一体感あるいは統一感を持たせることができ、商品性及びデザイン性を向上させることが可能な車両用表示装置を提供する。【解決手段】  所定の模様２２が形成されるとともに窓部２３を設けてなる表示板２と、窓部２３を介して情報表示３１を視認できるように設けられる表示パネル３と、を備えた車両用表示装置であって、表示パネル３は、表示板２の模様２２に連続した模様３２を表示してなり、また、前記表示パネルは、前記表示板の模様に連続して対応するように複数色からなる模様を背景として表示してなる。【選択図】図１
2008122214.tif 000002
【特許請求の範囲】
【請求項１】
所定の模様が形成されるとともに窓部を設けてなる表示板と、前記窓部を介して情報表示を視認できるように設けられる表示パネルと、を備えた車両用表示装置であって、
前記表示パネルは、前記表示板の前記模様に連続した模様を表示してなることを特徴とする車両用表示装置。
【請求項２】
前記表示パネルは、前記表示板の模様に連続して対応するように複数色からなる模様を背景として表示してなることを特徴とする請求項１に記載の車両用表示装置。
【請求項３】
前記表示板は、透光性の基板上に模様を印刷してなる意匠部と、前記透光性の基板を介して前記表示パネルを視認可能な前記窓部と、を設けてなることを特徴とする請求項１に記載の車両用表示装置。
【請求項４】
前記表示パネルと前記窓部との間において、前記表示パネルおよび前記窓部に接する透明部材が設けられてなることを特徴とする請求項３に記載の車両用表示装置。
【請求項５】
車両状態に基づく計測値によって回動して指示する指針を備え、
前記表示板は、前記指針の指示対象となる指標部を設けてなることを特徴とする請求項１に記載の車両用表示装置。
【発明の詳細な説明】
【技術分野】
【０００１】
本発明は、車両に搭載され  所定の模様が形成されるとともに窓部を設けてなる表示板と、前記表示板の表示が前記窓部から望むように設けられる表示パネルとを備えた車両用表示装置に関し、例えば、アナログ表示を行う表示板と、デジタル表示を行う表示パネルとを同じケース内に備えた車両用表示装置に好適である。
【背景技術】
【０００２】
従来、車両用表示装置においては、車両状態を表示する手段として、文字板上に目盛りを設け、前記目盛りと前記目盛りを回動指示する指針との対比判読により、車両状態を表示するアナログ表示やデジタルディスプレイ上に数字表示やバー表示をすることにより車両状態を表示するデジタル表示が用いられている。
【０００３】
また、前記アナログ表示においては、判読性が高いといった特性があり、一方、前記デジタル表示においては、表示可能な情報量が多く、表示方法も多様であるといった特性がある。このため、例えば、特許文献１に示すように、両者の特性を備え、かつ表示スペースを有効に活用できることから、前記アナログ表示及び前記デジタル表示を組み合わせた車両用表示装置が知られている。
【特許文献１】特開２００５−２３９０２１号公報
【発明の開示】
【発明が解決しようとする課題】
【０００４】
以上のような構成の車両用表示装置は、前記アナログ表示と前記デジタル表示とが近傍に配設されてなるものの、前記アナログ表示と前記デジタル表示とはそれぞれ異なる意匠にて車両状態を表示するものであり、車両用表示装置全体として、表示意匠の一体感、あるいは、統一感を欠き、商品性及びデザイン性を向上させる点において、更なる改良が望まれていた。
【０００５】
そこで本発明の目的とするところは、上述した問題点に着目してなされたものであり、表示意匠の一体感あるいは統一感を持たせ、商品性及びデザイン性を向上させることが可能な車両用表示装置を提供することにある。
【課題を解決するための手段】
【０００６】
本発明の車両用表示装置は、請求項１に記載したように、所定の模様が形成されるとともに窓部を設けてなる表示板と、前記窓部を介して情報表示を視認できるように設けられる表示パネルと、を備えた車両用表示装置であって、前記表示パネルは、前記表示板の前記模様に連続した模様を表示してなることを特徴とする。
【０００７】
また、請求項２に記載したように、請求項１の車両用表示装置において、前記表示パネルは、前記表示板の模様に連続して対応するように複数色からなる模様を背景として表示してなることを特徴とする。
【０００８】
また、請求項３に記載したように、請求項１の車両用表示装置において、前記表示板は、透光性の基板上に模様を印刷してなる意匠部と、前記透光性の基板を介して前記表示パネルを視認可能な前記窓部と、を設けてなることを特徴とする。
【０００９】
また、請求項４に記載したように、請求項３の車両用表示装置において、前記表示パネルと前記窓部との間において、前記表示パネルおよび前記窓部に接する透明部材が設けられてなることを特徴とする。
【００１０】
また、請求項５に記載したように、請求項１の車両用表示装置において、車両状態に基づく計測値によって回動して指示する指針を備え、前記表示板は、前記指針の指示対象となる指標部を設けてなることを特徴とする。
【発明の効果】
【００１１】
本発明は、所定の模様が形成されるとともに窓部を設けてなる表示板と、前記表示部が前記窓部から望むように設けられる表示パネルとを備えた車両用表示装置に関し、表示意匠の一体感あるいは統一感を持たせ、商品性及びデザイン性を向上させることが可能な車両用表示装置を提供できる。
【発明を実施するための最良の形態】
【００１２】
以下、本発明の車両用表示装置を計器装置に適用したものをあげ、実施の形態として添付図面を用いて説明する。
【００１３】
車両用表示装置は、図１，２に示すように、指針１と、表示板２と、表示パネル３と、回路基板４と、透明部材５とから主に構成され、これらが図示しないハウジングに収容されてなる。
【００１４】
指針１は、例えば、車両の走行速度やエンジン回転数など車両の状態に基づいて計測された計測値に応じて回動することによって、後述する指標部を指示するものである。この場合、図１に示すように、車両の走行速度に基づいて指示するものを実施例として説明する。
【００１５】
表示板２は、平滑面を有する透光性樹脂基板（透光性の基板）が適用でき、この表面を加工形成してなるものである。表示板２は、意匠部として、指針１の指示対象となる目盛りや数字などからなる指標部２１と指標部２１以外の箇所において模様２２が背景表示として加工形成されてなる。また表示板２は、指標部２１及び模様２２からなる意匠以外の箇所おいて、透光性の印刷あるいは印刷加工が施されない窓部２３が設けられている。
【００１６】
この場合、表示板２は、無色透明なポリカーボネートからなるシート材を用いてなり、模様２２や、車両の走行速度に対応する目盛りや数字からなる指標部２１、表示単位「ｋｍ／ｈ」が意匠部として印刷される。また表示板２は、この指標部２１や表示単位の印刷以外の箇所において、複数の線が指針１の回転軸から同心円状に配置されたヘアライン模様、すなわち、金属を円（回転）方向に切削や研磨した面を表現したスピン状のヘアライン模様をなすように金属調模様層が凹凸に加工形成される。金属調模様層は、アルミニウム粉等の金属粉顔料や、雲母に酸化チタン等をコーティングして作られたパール顔料を用いたメタリックインクにて形成できる。
【００１７】
表示パネル３は、指針１の指示対象となる指標部３１を有する表示板３の裏面側に設けられる。表示パネル３は、車両の走行距離や各種警告メッセージ、時刻などの情報表示３１を行うものであり、これらの表示を表示板２の窓部２３や透明部材５を介して視認可能に設けられる。また、表示パネル３は、表示板２の模様と近似する表示色を表現できる表示素子、例えばＴＦＴ型の液晶や有機ＥＬなどの表示素子が適用でき、回路基板４に実装される。
【００１８】
また、表示パネル３は、情報表示３１の背景として、表示板２のスピン状のヘアライン模様２２と同様な形であり近似する色からなり、模様２２に連続したスピン状の模様３２が表示できる。模様３２は、ヘアライン模様２２のように、金属調の表示色に加えて、ヘアラインの凹凸による光の変化を表現した模様が複数色用いて表現される。
【００１９】
回路基板４は、表示パネル３の裏面側に設けられスペーサＳを介して表示パネル３と所定間隔おいて保持されている。回路基板４は、詳しく図示しないが、表示パネル３を駆動するための駆動ドライバや各種車両情報を入力して所定の演算処理を行うマイクロコンピュータや、指針１の駆動源となるムーブメント４１や表示パネル３の照明光源となるＬＥＤ４２などを実装するものである。
【００２０】
透明部材５は、シリコーンゴムを適用でき、窓部２３から表示パネル３の表示が視認できる位置に保持され、表示板２の裏面と表示パネル３の面とに接して設けられる。なお、透明部材５は、透明度の高い材質のものが好適であるが、シリコーンゴムではなく、アクリルなどの透光性の樹脂や、熱または紫外線による硬化性透明部材を用いることもできる。
【００２１】
かかる車両用表示装置は、所定の模様（ヘアライン模様）２２が形成されるとともに窓部２３を設けてなる表示板２と、窓部２３を介して情報表示３１を視認できるように設けられる表示パネル３と、を備えた車両用表示装置であって、表示パネル３は、表示板２の模様２２に連続した模様３２を表示してなる。
【００２２】
したがって、アナログ表示を行う表示板２とデジタル表示を行う表示パネル３とにおいて表示意匠の一体感あるいは統一感を持たせることができ、商品性及びデザイン性を向上させることが可能な車両用表示装置となる。
【００２３】
また、表示パネル３は、表示板２の模様２２に連続して対応するように複数色からなる模様３２を背景として表示してなることによって、表示意匠の一体感あるいは統一感を持たせることができ、商品性及びデザイン性を向上させることが可能な車両用表示装置となる。
【００２４】
また、表示板２は、透光性の基板上に模様２２を印刷してなる意匠部と、前記透光性の基板を介して表示パネル３を視認可能な窓部２３と、を設けてなることによって、表示板２と表示パネル３との表示面の段差による別体感を解消し、表示意匠の一体感あるいは統一感を持たせることができ、商品性及びデザイン性を向上させることが可能な車両用表示装置となる。
【００２５】
また、表示パネル３と窓部２３との間において、表示パネル３および窓部２３に接する透明部材５が設けられてなることによって、表示パネル３と表示板２との空間を埋めることができ、表示意匠の一体感あるいは統一感を持たせることができ、商品性及びデザイン性を向上させることが可能な車両用表示装置となる。
【００２６】
また、車両状態に基づく計測値によって回動して指示する指針１を備え、表示板２は、指針１の指示対象となる指標部２１を設けてなる表示装置に適用することによって、アナログ表示とデジタル表示とが、一体感あるいは統一感を持たせることができ、商品性及びデザイン性を向上させることが可能な車両用表示装置となる。
【００２７】
なお、本発明の車両用表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。例えば、表示板２の表示内容として車両の走行速度を表示するものを示したが、車両のエンジン回転数や残燃料量、オイル温度、各種警告灯などを表示するものであってもよい。
【００２８】
また、車両用表示装置として表示板２にヘアライン模様２２を表示させるものを示したが、ドット印刷など用いて複数色を組み合わせてなるグラデーション模様が印刷加工されたものにも適用でき、この場合、表示パネル３は、グラデーションに連続する模様を、表示板２と同等なドット表示あるいは、これに近似する表示色を選択した模様を背景として表示することによって、上述の実施の形態と同様な効果を得ることができる。また、表示板２及び表示パネル３の模様としてカーボン調模様などの印刷または表示を行うこともできる。
【図面の簡単な説明】
【００２９】
【図１】本発明の実施の形態における計器装置の要部を示す平面図。
【図２】同上実施の形態の計器装置の要部を断面にて示す図。
【符号の説明】
【００３０】
１    指針
２    文字板
２１  指標部
２２  模様
２３  窓部
３    表示パネル
３２  模様
５    透明部材
【図１】
2008122214.tif 000003
【図２】
2008122214.tif 000004